(57)【要約】【課題】生体情報の測定精度を向上可能な測定装置、測定方法、および測定装置を備える電子機器を提供する。【解決手段】測定装置は、生体情報を測定する測定部と、測定部の測定を制御する制御部と、外部と通信可能な通信部と、を備える。制御部は、測定の間に通信部に外部から通信があった場合に、通信に関する処理が、測定よりも優先度の高い所定の処理か否かを判定し、処理が所定の処理であれば、測定を停止するように制御する。【選択図】図１
2018196757.tif 000002
【特許請求の範囲】
【請求項１】
生体情報を測定する測定部と、
前記測定部の測定を制御する制御部と、
外部と通信可能な通信部と、を備え、
前記制御部は、前記測定の間に前記通信部に外部から通信があった場合に、前記通信に関する処理が、前記測定よりも優先度の高い所定の処理か否かを判定し、前記処理が前記所定の処理であれば、前記測定を停止するように制御する、測定装置。
【請求項２】
前記制御部は、前記測定部の測定中に前記所定の処理を開始した後、当該所定の処理が終了するとき、前記測定部の測定を再開するように制御する、請求項１に記載の測定装置。
【請求項３】
生体情報を測定する測定部と、
音を発生する通知部と、
前記測定部の測定中に所定の処理を開始するとき、前記通知部が音を発生しないようにして前記測定部の測定を続行するように制御する制御部と、
を備える測定装置。
【請求項４】
前記制御部は、前記測定部の測定中に前記所定の処理を開始した後、当該測定部の測定が完了するとき、前記通知部が音を発生し得るように制御する、請求項３に記載の測定装置。
【請求項５】
有線または無線による通信を行う通信部を備え、
前記所定の処理は前記通信部の制御に関する処理である、請求項１〜４のいずれか一項に記載の測定装置。
【請求項６】
前記所定の処理は、前記通信部が着信処理を行う際の制御に関する処理である、請求項５に記載の測定装置。
【請求項７】
請求項１〜６のいずれか一項に記載の測定装置を備える電子機器。
【請求項８】
生体情報を測定するステップと、
前記生体情報の測定中に外部から通信があった場合に、前記通信に関する処理が、前記測定よりも優先度の高い所定の処理であるか否かを判定するステップと、
前記処理が前記所定の処理である場合に、前記生体情報の測定を停止するステップと、
を含む、測定装置の測定方法。
【請求項９】
生体情報を測定するステップと、
音を発生するステップと、
前記生体情報の測定中に所定の処理が開始されるとき、音が発生しないようにして前記生体情報の測定が続行されるように制御するステップと、
を含む、測定装置の測定方法。
【発明の詳細な説明】
【技術分野】
【０００１】
本発明は、測定装置、測定方法、および測定装置を備える電子機器に関するものである。
【背景技術】
【０００２】
従来、被検者（ユーザ）の指先等の被検部位から生体出力情報を取得して、生体情報を測定する測定装置が知られている。例えば、生体情報として血流を測定する血流測定装置は、レーザ光を指先に照射し、指先の毛細血管の血流からの散乱光に基づいて血流を測定する（例えば、特許文献１参照）。
【０００３】
ところで、指先の毛細血管の状態は、測定装置への接触状態によって変化する。すなわち、指先から測定装置にかかる圧力が、適正な範囲よりも強い場合または弱い場合には、血流を正確に測定できない。したがって、生体情報を正確に測定するためには、被検部位を適切に測定装置に接触させることが必要である。そのため、従来は、被検部位を固定するための固定機構を使用したり、テーピング等によって指先と測定装置との接触状態を固定したりする等、接触状態を安定させる手段を使用している。
【先行技術文献】
【特許文献】
【０００４】
【特許文献１】実公平３−２１２０８号公報
【発明の概要】
【発明が解決しようとする課題】
【０００５】
生体情報の測定装置を、例えば携帯電話機等の電子機器に搭載する場合、生体情報を測定している最中に、当該電子機器特有の例えば着信のような動作が発生し得る。このように、測定装置が生体情報を測定している間に、他の処理が割り込むように発生すると、例えば割り込みにユーザが反応して被検部位が動くなどの生体情報の測定が阻害される等の原因により、測定中の生体情報の精度が悪くなるおそれがある。
【０００６】
かかる事情に鑑みてなされた本発明の目的は、生体情報の測定精度を向上可能な測定装置、測定方法、および測定装置を備える電子機器を提供することにある。
【課題を解決するための手段】
【０００７】
上記課題を解決するため、本発明に係る測定装置は、
生体情報を測定する測定部と、
前記測定部の測定を制御する制御部と、
外部と通信可能な通信部と、
を備える。
前記制御部は、前記測定の間に前記通信部に外部から通信があった場合に、前記通信に関する処理が、前記測定よりも優先度の高い所定の処理か否かを判定し、前記処理が前記所定の処理であれば、前記測定を停止するように制御する。
【０００８】
また、上記課題を解決するため、本発明に係る測定装置は、
生体情報を測定する測定部と、
音を発生する通知部と、
前記測定部の測定中に所定の処理を開始するとき、前記通知部が音を発生しないようにして前記測定部の測定を続行するように制御する制御部と、
を備える。
【０００９】
また、本発明は上述した測定装置を備える電子機器としても実現し得る。
【００１０】
また、本発明は上述したような測定装置による測定方法としても実現し得るものであり、本発明の範囲にはこれらも包含されるものと理解されたい。
【００１１】
例えば、本発明に係る測定方法は、
生体情報を測定するステップと、
前記生体情報の測定中に外部から通信があった場合に、前記通信に関する処理が、前記測定よりも優先度の高い所定の処理であるか否かを判定するステップと、
前記処理が前記所定の処理である場合に、前記生体情報の測定を停止するステップと、
を含む。
【００１２】
また、本発明に係る測定方法は、
生体情報を測定するステップと、
音を発生するステップと、
前記生体情報の測定中に所定の処理が開始されるとき、音が発生しないようにして前記生体情報の測定が続行されるように制御するステップと、
を含む。
【発明の効果】
【００１３】
本発明によれば、生体情報の測定精度を向上可能な測定装置、測定方法、および測定装置を備える電子機器を提供することができる。
【図面の簡単な説明】
【００１４】
【図１】本発明の第１実施形態に係る測定装置の概略構成を示すブロック図である。
【図２】測定装置の使用状態の一例を示す図である。
【図３】第１実施形態に係る測定装置の動作を説明するフローチャートである。
【図４】第２実施形態に係る測定装置の動作を説明するフローチャートである。
【図５】第３実施形態に係る測定装置の動作を説明するフローチャートである。
【図６】図１の測定装置を搭載した携帯電話機の一例を示す図である。
【発明を実施するための形態】
【００１５】
以下、本発明の実施形態について、図面を参照して詳細に説明する。
【００１６】
（第１実施形態）
図１は、本発明の第１実施形態に係る測定装置の概略構成を示すブロック図である。図１に示すように、測定装置１０は、圧力検出部１１、測定部１２、制御部１３、通知部１４、記憶部１５、接触部１６、表示部１７、振動部１８、および通信部１９を備える。
【００１７】
測定装置１０は、例えば生体センサなどで構成する測定部１２を使用して、接触部１６に接触する被検者（ユーザ）の生体測定出力を取得し、生体測定出力に基づいて生体情報を測定する。図２は、測定装置１０の使用状態の一例を示す図であり、ユーザが、測定装置１０に被検部位である手の指を押し当てた状態を示す図である。測定装置１０は、図２のように指が接触部１６に押し当てられた状態において、測定部１２を使用して生体測定出力を取得し、生体情報を測定するように構成することができる。しかしながら、測定装置１０による生体情報の測定は、このような構成の例に限定されない。
【００１８】
測定装置１０が測定部１２において生体測定出力を取得する際には、接触部１６に接触する指（被検部位）の接触圧力について、取得に適した適正圧力の範囲が存在する場合がある。すなわち、接触部１６における接触圧力が強すぎる場合または弱すぎる場合に、例えば被検部位が圧力の影響を受けたり、ノイズの影響を受けたりすることにより、正確な生体測定出力を取得できない場合がある。正確な生体測定出力を取得できないと、精度の高い生体情報を測定が困難となる。
【００１９】
そこで、本実施形態における測定装置１０は、圧力検出部１１において、接触部１６に接触する被検部位の接触圧力を検出するようにできる。この場合、測定装置１０は、制御部１３において、接触圧力が所定の範囲のときの生体測定出力に基づいて、生体情報を測定するとしても良い。このとき、測定装置１０は、接触圧力に関する情報を通知部１４から通知する。かかる通知により、ユーザは、接触圧力が所定の範囲、例えば生体情報の測定に適した適正範囲にあるか否か、および、接触圧力が所定の範囲の圧力よりも強いかまたは弱いか等、接触圧力に関する情報を知ることができる。しかしながら、測定装置１０による生体情報の測定は、このように被検部位の接触圧力を検出する構成には限定されない。
【００２０】
なお、測定装置１０が測定する生体情報は、測定部１２を使用して測定可能な任意の生体情報とすることができるが、本実施形態の説明においては、一例として、測定装置１０は、生体情報として被検者の血流量を測定するとして、以下説明を行う。
【００２１】
圧力検出部１１は、接触部１６における被検部位の接触圧力を検出する。圧力検出部１１は、例えば、圧電素子により構成される。圧力検出部１１は、制御部１３に接続されており、検出した圧力信号を制御部１３に送信する。
【００２２】
測定部１２は、上述のように生体センサなどで構成され、被検部位から生体測定出力を取得する。本実施形態のように、測定装置１０が血流量を測定する場合、測定部１２は、例えば照射部２１と受光部２２とを有する。照射部２１は、接触部１６に接触する被検部位に測定光を照射する。照射部２１は、例えば、血液中に含まれる所定の成分を検出可能な波長のレーザ光を測定光として照射するレーザ光源であり、例えばＬＤ（レーザダイオード：Laser Diode）により構成される。また、受光部２２は、照射部２１が被検部位に測定光を照射することによって、生体測定出力としての、被検部位から散乱される散乱光（検出光）を受光する。受光部２２は、ＰＤ（フォトダイオード：Photo Diode）により構成される。測定部１２は、受光部２２において受光した散乱光の光電変換信号を制御部１３に送信する。
【００２３】
測定部１２は、例えば、接触圧力が上述の所定の範囲にあるときに起動されてもよい。測定装置１０は、接触圧力が上述の所定の範囲にあるときの生体測定出力に基づいて生体情報を測定するため、測定部１２は、少なくとも接触圧力が上述の所定の範囲にあるときの生体測定出力を取得すれば十分である。また、測定部１２が、接触圧力が上述の所定の範囲にあるときに起動されることにより、生体測定出力を取得する必要がないときに、照射部２１からレーザ光が照射され、周囲にレーザ光が漏れることを防ぐことができる。
【００２４】
制御部１３は、測定装置１０の各機能ブロックをはじめとして、測定装置１０の全体を制御および管理するプロセッサである。制御部１３は、制御手順を規定したプログラムを実行するＣＰＵ（Central Processing Unit）等のプロセッサで構成され、かかるプログラムは、例えば記憶部１５または外部の記憶媒体等に格納される。
【００２５】
また、制御部１３は、測定部１２による生体測定出力の取得が終了したか否かを判定する。制御部１３は、例えば、測定部１２が生体測定出力の取得を開始してから、所定時間経過後に、生体測定出力の取得が終了したと判断してもよい。また、制御部１３は、例えば、測定部１２が、生体情報を測定するために十分な生体測定出力を取得したとき、生体測定出力の取得が終了したと判断してもよい。
【００２６】
また、制御部１３は、接触部１６における接触圧力が所定の範囲のときの生体測定出力に基づいて、生体情報を測定してもよい。制御部１３は、例えば、受光部２２が受光した散乱光の強度の変化に基づいて、血流量を測定するアルゴリズムまたはテーブル等を使用して、生体情報としての血流量を測定する。また、制御部１３は、接触圧力が所定の範囲のときの生体測定出力に基づいて生体情報を測定するために、圧力検出部１１が検出した接触圧力に基づいて、接触圧力が所定の範囲であるか否かを判断できる。
【００２７】
ここで、制御部１３による、ドップラーシフトを利用した血流量測定技術について説明する。制御部１３は、血流量を測定する際に、生体の組織内に照射部２１からレーザ光を照射し、受光部２２により生体の組織内から散乱された散乱光を受光する。そして、制御部１３は、受光されたレーザ光の測定結果に基づいて血流量を演算する。
【００２８】
生体の組織内において、動いている血球から散乱された散乱光は、血液中の血球の移動速度に比例したドップラー効果による周波数シフト（ドップラーシフト）を受ける。制御部１３は、静止した組織からの散乱光と、動いている血球からの散乱光との光の干渉によって生じるうなり信号（ビート信号ともいう）を検出する。このうなり信号は、強度を時間の関数として表したものである。そして、制御部１３は、このうなり信号を、パワーを周波数の関数として表したパワースペクトルにする。このうなり信号のパワースペクトルでは、ドップラーシフト周波数は血球の速度に比例し、パワーは血球の量に対応する。そして、制御部１３は、うなり信号のパワースペクトルに周波数をかけて積分することにより血流量を求める。
【００２９】
通知部１４は、接触部１６における接触圧力に関する情報などを、被検者であるユーザに通知する。測定装置１０は、接触圧力が所定の範囲のときの生体測定出力に基づいて生体情報を測定することができる。すなわち、接触圧力が所定の範囲となることが生体情報を測定するための条件とすることができる。そこで、通知部１４は、接触圧力に関する情報を通知することによって、接触圧力を所定の範囲に調整するように、ユーザに促すことができる。
【００３０】
通知部１４は、接触圧力を所定の範囲に調整することを促すという観点に鑑み、接触圧力に関する情報として、接触圧力が所定の範囲にあるか否かに関する情報を通知することができる。これにより、ユーザの利便性を高めることができる。
【００３１】
例えば、通知部１４は、スピーカを有し、音の出力によって接触圧力に関する情報を通知できる。また、例えば、通知部１４は、表示部１７への画像の表示によって接触圧力に関する情報を通知できる。また、通知部１４は、表示部１７に文字を表示して、接触圧力に関する情報を通知してもよい。また、例えば、通知部１４は、発光素子を有し、発光素子の発光によって接触圧力に関する情報を通知できる。
【００３２】
また、例えば、通知部１４は、バイブレータや圧電素子等の振動部を有し、振動部の振動によって接触圧力に関する情報を通知できる。しかしながら、通知部１４が振動により通知を行う場合には、振動によって被検部位の圧力が変化しないことが好ましい。
【００３３】
以上、通知部１４による、音の出力、画像の表示、発光または振動の出力の通知方法について説明したが、通知部１４による通知方法は、上述のものに限られない。また、通知部１４は、接触圧力が許容圧力の範囲外であるとき、許容圧力の範囲よりも接触圧力が強い場合と弱い場合とで、異なる方法により通知を行ってもよい。また、通知部１４は、複数の任意の通知方法を組み合わせて接触圧力を通知してもよい。
【００３４】
通知部１４は、さらに、適正圧力および許容圧力の少なくとも一方と、接触圧力との差に関する情報を通知してもよい。
【００３５】
このように、通知部１４は、適正圧力および許容圧力の少なくとも一方と、接触圧力との差に関する情報を通知することができる。これにより、ユーザは、接触部１６に接触させた指の圧力をどの程度加圧または減圧すればよいのかを容易に認識できる。そのため、ユーザは、接触圧力を調節しやすくなる。また、このような表示により、ユーザは、通知部１４の通知を確認しながら、接触圧力を適正圧力または許容圧力の範囲内に維持するよう調整しやすくなる。
【００３６】
また、通知部１４は、測定部１２により生体測定出力の取得を開始および終了したときに、ユーザに通知を行うことができる。取得開始の通知を行うことにより、ユーザは、指の押圧状態を保持すべきことを認識でき、また、取得終了の通知を行うことにより、ユーザは、指を接触部１６から離してもよいことを認識できる。また、通知部１４は、生体情報の測定結果に関する情報を通知してもよい。
【００３７】
記憶部１５は、半導体メモリ等で構成することができ、各種情報や測定装置１０を動作させるためのプログラム等を記憶するとともに、ワークメモリとしても機能する。また、記憶部１５は、測定装置１０が測定した生体情報と、生体情報の測定時の接触圧力とを対応付けた履歴データ等を記憶する。制御部１３は、生体情報を測定する際に、圧力検出部１１が検出した接触圧力および測定部１２が測定した生体測定出力に基づき、履歴データを参照して生体情報を測定してもよい。
【００３８】
このように、制御部１３が、履歴データを参照して生体情報を測定するとき、測定部１２は、例えば、所定の時間に、所定の個数の生体測定出力を取得する。所定の時間および所定の個数は、それぞれ任意の時間および任意の個数とすることができ、例えば、測定部１２は、５秒間に、各１秒間の５回の測定を行うことにより、５つの生体測定出力を取得することができる。
【００３９】
また、履歴データを参照した他の生体情報の測定方法の一例として、制御部１３は、履歴データを参照して、５つの生体測定出力のそれぞれの接触圧力ごとに、生体情報の測定精度に応じた重みづけを決定してもよい。例えば、制御部１３は、測定精度が高い接触圧力に関する生体測定出力に、高い重みづけを行うことを決定することができる。そして、制御部１３は、測定部１２で５つの生体測定出力について、決定した重みづけを加味した加重平均を算出することにより、生体情報を測定することができる。
【００４０】
このように、制御部１３は、記憶部１５に記憶された履歴データを考慮して生体情報を測定することにより、生体情報の測定精度を向上させることができる。
【００４１】
接触部１６は、ユーザが生体情報を測定するために、指等の被検部位を接触させる部分である。接触部１６は、例えば、板状の部材により構成できる。また、接触部１６は、少なくとも測定光および検出光に対して透明な部材により構成してもよい。圧力検出部１１は、接触部１６に指等が接触したときに、接触部１６にかかる圧力を検出して、検出した接触圧力を制御部１３に送信する。
【００４２】
表示部１７は、例えば周知のディスプレイにより構成される表示デバイスである。表示部１７は、例えば制御部１３が測定した生体情報を表示する。表示部１７は、例えば液晶ディスプレイ（ＬＣＤ）または有機ＥＬディスプレイなど、各種の表示デバイスにより構成することができる。
【００４３】
振動部１８は、振動を発生することにより、例えば接触部１６などの測定装置１０におけるいずれかの部位を振動させて、被検者（ユーザ）に各種の触感を呈示することができる。振動部１８は、制御部１３から供給される所定の駆動信号により、各種の振動を発生することができる。特に、測定装置１０を備える電子機器を携帯電話またはスマートフォンなどの通信機器として実現する場合、振動部１８は、バイブレーションの機能を提供する。これにより、測定装置１０を備える通信機器は、通話の着信時および電子メールの受信時などに、音の発生に代えて、または音の発生とともに、ユーザに通話の着信および電子メールの受信などを知らせることができる。
【００４４】
振動部１８は、任意の個数の圧電振動子を用いて構成したり、タッチセンサの全面に透明圧電素子を設けて構成したり、触感を呈示する振動を表現できるのであれば、偏心モータを駆動信号の１周期で１回転させるようにして構成することができる。例えば、振動部１８は、振動を発生させる方式として、軸に質量の偏りを持たせたモータで回転させる偏心回転質量（ＥＲＭ）方式がある。その他、振動部１８が振動を発生させる方式として、直線的に動くモータであるリニアモータの要領でアクチュエータを構成し共振を起こさせるリニア共振アクチュエータ（ＬＲＡ）方式もある。さらに、振動部１８は、振動を発生させる方式として、電圧のオン／オフによって形状が変わる素材「ピエゾ素子」を使ったピエゾ・アクチュエータ方式のようなものもある。本実施形態に係る振動部１８は、振動を発生するものであれば、任意の構成を採用することができる。
【００４５】
通信部１９は、有線または無線を介して想定装置１０の外部と信号を送受信することにより、各種情報の交換を行う。すなわち、通信部１９は、有線または無線による通信を行う。特に、測定装置１０を備える携帯電話またはスマートフォンのような通信機器においては、通信部１９は、基地局と通信することにより、電話の発着信および電子メールの送受信などを行う。本実施形態において、通信部１９は、各種の任意の無線通信手段などを用いて構成することができるため、より詳細な説明は省略する。
【００４６】
測定装置１０を備える携帯電話またはスマートフォンのような通信機器においては、基地局から発信された通話を通信部１９によって着信すると、制御部１３は、通話の着信に係る処理を、通常高い優先度で実行する。同様に、測定装置１０を備える携帯電話またはスマートフォンのような通信機器においては、基地局から送信された電子メールを通信部１９によって受信すると、制御部１３は、電子メールの受信に係る処理を、通常高い優先度で実行する。
【００４７】
次に、本実施形態に係る測定装置１０の動作について説明する。
【００４８】
以下、本実施形態に係る測定装置１０は、携帯電話またはスマートフォンのような通信機器に備えられたものとして説明する。このため、測定装置１０のユーザが測定装置１０を用いて生体情報を測定している際に、例えば通話の着信または電子メールの受信などが発生した場合、生体情報の測定が正しく行われないおそれがある。そこで、本実施形態においては、このように測定装置１０において通話の着信または電子メールの受信などのような優先度の高い処理が割り込むように発生した際に、測定装置１０が行うべき適切な挙動を規定する。
【００４９】
図３は、本実施形態に係る測定装置１０の動作の例を説明するフローチャートである。以下、図３を参照して、測定装置１０により生体情報を測定している最中に、測定装置１０を備えた電子機器において、通話に係る処理などの所定の処理が開始する場合を想定して説明する。
【００５０】
測定装置１０により生体情報を測定する際には、ユーザは、例えば血流量の測定を行う場合、まず被検部位である指を接触部１６に接触させる。このような状態で、制御部１３は、例えば被検者（ユーザ）による入力をトリガとするなどして、図３に示す処理を開始する。図３に示す処理が開始すると、制御部１３は、測定部１２による生体情報の測定を開始するように制御する（ステップＳ１１）。
【００５１】
ステップＳ１１において生体情報の測定が開始したら、制御部１３は、通話の着信または電子メールの受信など予め規定した優先度の高い処理の発生に応じて、所定の処理を開始するか否かを判定する（ステップＳ１２）。ここで、ステップＳ１２において発生したか否かを判定する処理は、通話の着信および電子メールの受信のような処理に限定されない。ステップＳ１２において発生したか否かを判定する処理は、測定装置１０を搭載した電子機器の機能として優先度の高い処理を予め規定しておくとしても良い。
【００５２】
また、ここで、「所定の処理」とは、例えば通話の着信に応じて、通話アプリケーションソフトウェア（以下、「アプリケーション」と記す）を起動する処理などを想定している。また、所定の処理とは、通話の着信に応じて、バックグラウンドで起動していた通話アプリケーションを、フォアグラウンドの起動に移行する処理などとすることもできる。また、所定の処理とは、起動した通話アプリケーションに基づいて実行する動作に係る処理も含むものとすることができる。さらに、所定の処理とは、例えば電子メールの受信に応じて、電子メールアプリケーションを起動する処理などを想定することもできる。また、所定の処理とは、電子メールの受信に応じて、バックグラウンドで起動していた電子メールアプリケーションを、フォアグラウンドの起動に移行する処理とすることもできる。また、所定の処理とは、起動した電子メールアプリケーションに基づいて実行する動作に係る処理も含むものとすることができる。
【００５３】
本実施形態に係る測定装置１０を備える電子機器を通信機器として構成する場合、上述した「所定の処理」とは、主として通信部１９が外部との通信を行うことに関する処理となる。また、本実施形態において、通信部１９が外部との通信を行うことに係る処理とは、例えば、通話を着信することに係る処理、および、電子メールを受信することに係る処理などとすることができる。したがって本実施形態において、所定の処理とは、通信部１９の制御に関する処理とし、特に、通信部１９が着信処理を行う際の制御に関する処理とすることができる。
【００５４】
ステップＳ１２において所定の処理を開始しない場合（つまり通話の着信または電子メールの受信などがない場合）、制御部１３は、ステップＳ１１で開始した測定が完了したか否かを判定する（ステップＳ１３）。ステップＳ１３において測定が完了したら、制御部１３は、測定部１２による生体情報の測定を停止するように制御して（ステップＳ１４）、本実施形態に係る動作を終了する。また、ステップＳ１３において測定が完了していなければ、制御部１３は、ステップＳ１１に戻って、測定部１２による生体情報の測定を続行する。
【００５５】
一方、ステップＳ１２において所定の処理を開始する場合（つまり通話の着信または電子メールの受信などがあった場合）、制御部１３は、測定部１２による生体情報の測定を停止するように制御する（ステップＳ１５）。ステップＳ１５において測定を停止したら、制御部１３は、ステップＳ１２で開始した所定の処理が終了したか否かを判定し（ステップＳ１６）、当該所定の処理が終了するまで測定部１２による生体情報の測定を停止するように制御する（ステップＳ１５）。ここで、所定の処理が終了するとは、例えば通話アプリケーションの場合、電話の通話が終了したことに伴い、通話アプリケーションを終了させること等を想定することができる。また、例えば電子メールアプリケーションの場合、所定の処理が終了するとは、例えばユーザ操作に基づいて電子メールアプリケーションが終了されること等を想定することができる。
【００５６】
ステップＳ１６において所定の処理が終了したら、制御部１３は、ステップＳ１５で停止した測定を再開するように制御する（ステップＳ１７）。ステップＳ１７においては、停止した測定の再開に際し、制御部１３は、再測定の開始の操作をユーザに求め、ユーザによる入力をトリガとして測定を再開するように制御してもよい。また、ステップＳ１７においては、制御部１３は、例えば測定を再開する旨を例えば表示部１７に表示した上で、自動的に測定が再開されるようにしてもよい。ステップＳ１７において測定を再開した後は、制御部１３は、ステップＳ１１移行の処理を行う。
【００５７】
このように、本実施形態に係る測定装置１０において、制御部１３は、測定部１２の測定中に所定の処理を開始する時、測定部１２の測定を停止するように制御する。また、制御部１３は、測定部１２の測定中に所定の処理を開始した後、当該所定の処理が終了する時、測定部１２の測定を再開するように制御しても良い。
【００５８】
本実施形態に係る測定装置１０は、携帯電話またはスマートフォンなどに搭載された際、生体情報を測定している最中に通話の着信または電子メールの受信などが割り込むように発生したら、測定部１２による測定を停止する。このため、本実施形態によれば、生体情報の測定中に通話の着信または電子メールの受信などが割り込むように発生しても、それにより測定の精度が悪化することを回避し、測定に対する信頼性を向上することができる。また、本実施形態によれば、通話の着信または電子メールの受信などが割り込むように発生した際に、測定部１２の測定を停止するため、それ以降測定部１２が消費する電力の無駄を回避することもできる。
【００５９】
（第２実施形態）
次に、本発明の第２実施形態に係る測定装置について説明する。上述した第１実施形態においては、測定に対する信頼性を向上することはできるが、通話の着信または電子メールの受信などが割り込むように発生した際に、測定は中断してしまう。そこで、第２実施形態では、生体情報の測定中に通話の着信または電子メールの受信などが割り込むように発生した際でも、測定を中断せずに続行する。
【００６０】
第２実施形態に係る測定装置は、上述した第１実施形態に係る測定装置１０と同じ構成により実現することができ、その動作に係る処理を変更するものである。したがって、上述した第１実施形態と同様になる説明は適宜省略し、第１実施形態とは異なる第２実施形態特有の内容について主に説明する。
【００６１】
測定装置１０のユーザが生体情報を測定している際に、例えば通話の着信または電子メールの受信などが発生した場合、その旨を認識させるためのバイブレーション機能により振動が発生すると、生体情報の測定が正しく行われないおそれがある。例えば、生体情報の測定中に振動が発生すると、測定装置１０を備える携帯電話またはスマートフォンなどそのものが振動することにより、被検者（ユーザ）の指先等の被検部位が適切に接触部１６に接触している状態が維持されなくなるおそれがある。また、例えば、生体情報の測定中に測定装置１０が振動すると、被検者（ユーザ）が突然の振動に驚くことにより、被験者の心拍数など種々の条件が変化するなどして、測定される生体情報が変化するおそれもある。そこで、本実施形態においても、このように測定装置１０において通話の着信または電子メールの受信などのような優先度の高い処理が割り込むように発生した際に、測定装置１０が行うべき適切な挙動を規定する。
【００６２】
図４は、本実施形態に係る測定装置１０の動作の例を説明するフローチャートである。以下、図４を参照して、測定装置１０により生体情報を測定している最中に、測定装置１０を備えた電子機器において、通話に係る処理などの所定の処理が開始する場合を想定して説明する。
【００６３】
図４に示すように、本実施形態の動作が開始すると、制御部１３は、まず、振動部１８が振動を発生する機能（以下、バイブレーション機能と記す）がオンの状態になるように制御する（ステップＳ２１）。なお、本実施形態において、制御部１３は、図４に示す動作が開始する前に、バイブレーション機能をオンの状態にしていてもよい。いずれにしても、本実施形態においては、生体情報の測定を開始する時点で、バイブレーション機能がオンの状態になっていることを前提とする。
【００６４】
ステップＳ２１においてバイブレーション機能をオンの状態にしたら、制御部１３は、例えば被検者（ユーザ）による入力をトリガとするなどして、測定部１２による生体情報の測定を開始するように制御する（ステップＳ１１）。本実施形態においても、測定装置１０により生体情報を測定する際には、ユーザは、例えば血流量の測定を行う場合、被検部位である指を接触部１６に接触させる。
【００６５】
ステップＳ１１において生体情報の測定が開始したら、制御部１３は、通話の着信または電子メールの受信など予め規定した優先度の高い処理の発生に応じて、所定の処理を開始するか否かを判定する（ステップＳ１２）。ここで、所定の処理とは、第１実施形態において説明したのと同様の処理とすることができる。ステップＳ１２において所定の処理を開始しない場合、制御部１３は、ステップＳ１１で開始した測定が完了したか否かを判定する（ステップＳ１３）。ステップＳ１３において測定が完了したら、制御部１３は、測定部１２による生体情報の測定を停止するように制御して（ステップＳ１４）、本実施形態に係る動作を終了する。また、ステップＳ１３において測定が完了していなければ、制御部１３は、ステップＳ１１に戻って、測定部１２による生体情報の測定を続行する。
【００６６】
一方、ステップＳ１２において所定の処理を開始する場合（つまり通話の着信または電子メールの受信などがあった場合）、制御部１３は、振動部１８が振動を発生する機能すなわちバイブレーション機能がオフの状態になるように制御する（ステップＳ２２）。ステップＳ２２においてバイブレーション機能をオフの状態にしたら、制御部１３は、測定部１２による生体情報の測定を続行し、ステップＳ１１で開始した測定が完了したか否かを判定する（ステップＳ２３）。
【００６７】
ステップＳ２３において測定がまだ完了していない時、制御部１３は、ステップＳ１２で開始した所定の処理が終了したか否かを判定する（ステップＳ２４）。ここで、所定の処理が終了するとは、第１実施形態において説明したのと同様の処理とすることができる。ステップＳ２４において所定の処理が終了していない時、制御部１３は、当該所定の処理が終了するまで測定部１２による生体情報の測定を続行するように制御する（ステップＳ２３）。ステップＳ２４において所定の処理が終了した時、制御部１３は、ステップＳ１１に戻って、測定部１２による生体情報の測定を続行する。
【００６８】
一方、ステップＳ２３において測定が完了した時、制御部１３は、測定部１２による生体情報の測定を停止するように制御して（ステップＳ２５）、バイブレーションの機能をオンの状態にしてから（ステップＳ２６）、本実施形態に係る動作を終了する。
【００６９】
このように、本実施形態に係る測定装置１０において、制御部１３は、測定部１２の測定中に所定の処理を開始する時、振動部１８が振動を発生しないようにして測定部１２の測定を続行するように制御する。また、制御部１３は、測定部１２の測定中に所定の処理を開始した後、当該所定の処理が終了する時、振動部１８が振動を発生し得るように制御しても良い。
【００７０】
本実施形態に係る測定装置１０は、携帯電話またはスマートフォンなどに搭載された際、生体情報を測定している最中に通話の着信または電子メールの受信などが割り込むように発生しても、振動部１８が振動しないように制御する。このため、本実施形態によれば、生体情報の測定中に通話の着信または電子メールの受信などが割り込むように発生しても、それにより振動が発生して測定の精度が悪化することを回避し、測定に対する信頼性を向上することができる。
【００７１】
上述した第２実施形態の変形例として、測定部１２の測定中に所定の処理を開始する時、振動部１８が振動を発生しないように制御する代わりに、または当該制御と共に、通知部１４から音が発生しないように制御してもよい。生体情報の測定中に測定装置１０の通知部１４が音を出力すると、被検者（ユーザ）が突然の（例えば大きな）音に驚くことにより、被験者の心拍数など種々の条件が変化するなどして、測定される生体情報が変化するおそれもある。したがって、測定部１２の測定中に所定の処理を開始する時、通知部１４から音が発生しないように制御することにより、このような不都合を回避することができる。このように、生体情報の測定中に測定装置１０が振動も音も発生しないようにしても、通話の着信または電子メールの受信などが発生した時は、被検者（ユーザ）は、表示部１７における表示によって、通話の着信または電子メールの受信などを知ることができる。
【００７２】
（第３実施形態）
次に、本発明の第３実施形態に係る測定装置について説明する。第３実施形態においては、第１実施形態と同様に、通話の着信または電子メールの受信などが割り込むように発生した際に生体情報の測定を中断する。しかしながら、第３実施形態においては、それまでに測定した結果を、それまでに行った測定の状況に応じて出力するか、または次回の測定に利用するかを決定する。
【００７３】
第３実施形態に係る測定装置は、上述した第１または第２実施形態に係る測定装置１０と同じ構成により実現することができ、その動作に係る処理を変更するものである。したがって、上述した第１または第２実施形態と同様になる説明は適宜省略し、第１および第２実施形態とは異なる第３実施形態特有の内容について主に説明する。
【００７４】
図５は、本実施形態に係る測定装置１０の動作の例を説明するフローチャートである。以下、図５を参照して、測定装置１０により生体情報を測定している最中に、測定装置１０を備えた電子機器において、通話に係る処理などの所定の処理が開始する場合を想定して説明する。
【００７５】
本実施形態において、測定装置１０により生体情報を測定する際には、ユーザは、例えば血流量の測定を行う場合、まず被検部位である指を接触部１６に接触させる。このような状態で、制御部１３は、例えば被検者（ユーザ）による入力をトリガとするなどして、図５に示す処理を開始する。図５に示す処理が開始すると、制御部１３は、測定部１２による生体情報の測定を開始するように制御する（ステップＳ１１）。
【００７６】
ステップＳ１１において生体情報の測定が開始したら、制御部１３は、通話の着信または電子メールの受信など予め規定した優先度の高い処理の発生に応じて、所定の処理を開始するか否かを判定する（ステップＳ１２）。ここで、所定の処理とは、第１実施形態において説明したのと同様の処理とすることができる。ステップＳ１２において所定の処理を開始しない場合、制御部１３は、ステップＳ１１で開始した測定が完了したか否かを判定する（ステップＳ１３）。ステップＳ１３において測定が完了したら、制御部１３は、測定部１２による生体情報の測定を停止するように制御して（ステップＳ１４）、本実施形態に係る動作を終了する。また、ステップＳ１３において測定が完了していなければ、制御部１３は、ステップＳ１１に戻って、測定部１２による生体情報の測定を続行する。
【００７７】
一方、ステップＳ１２において所定の処理を開始する場合（つまり通話の着信または電子メールの受信などがあった場合）、制御部１３は、この時点で測定部１２による生体情報の測定が第１の所定の条件を満たしているか否かを判定する（ステップＳ３１）。ステップＳ３１における第１の所定の条件とは、例えば、その時点で測定部１２による生体情報の測定が８０％以上完了していることとすることができる。すなわち、この場合、測定部１２による生体情報の測定が正常に完了するまでに取得されるデータを１００％として、当該時点までに取得されたデータが８０％以上であることを意味する。
【００７８】
ステップＳ３１において測定が第１の所定の条件を満たしている時、制御部１３は、当該測定は大部分が完了したものとして、当該測定の結果を例えば表示部１７などに出力する（ステップＳ３２）。この時、制御部１３は、当該測定の結果とともに、例えば当該測定は大部分が完了したため、当該測定の結果は信頼度が比較的高い旨の情報をさらに出力してもよい。ステップＳ３２において測定結果を出力したら、制御部１３は、測定部１２による生体情報の測定を停止するように制御して（ステップＳ１４）、本実施形態に係る動作を終了する。
【００７９】
一方、ステップＳ３１において測定が第１の所定の条件を満たしていない時、制御部１３は、この時点で測定部１２による生体情報の測定が第２の所定の条件を満たしているか否かを判定する（ステップ３３）。ステップＳ３３における第２の所定の条件とは、例えば、その時点で測定部１２による生体情報の測定が５０％以上完了していることとすることができる。すなわち、この場合、測定部１２による生体情報の測定が正常に完了するまでに取得されるデータを１００％として、当該時点までに取得されたデータが５０％以上であることを意味する。
【００８０】
ステップＳ３３において測定が第２の所定の条件を満たしている時、制御部１３は、当該測定は部分的に完了したものとして、当該測定の結果を例えば表示部１７などに出力する（ステップＳ３４）。ステップＳ３４において、制御部１３は、当該測定の結果とともに、例えば当該測定は部分的にしか完了していないため、当該測定の結果は信頼度が比較的低い旨の情報をさらに出力する。ステップＳ３４において測定結果を出力したら、制御部１３は、測定部１２による生体情報の測定を停止するように制御して（ステップＳ１４）、本実施形態に係る動作を終了する。
【００８１】
一方、ステップＳ３３において測定が第２の所定の条件をも満たしていない時、制御部１３は、測定部１２による生体情報の測定を停止するように制御する（ステップ３５）。ステップＳ３５において測定を停止したら、制御部１３は、例えば被検者（ユーザ）による入力をトリガとするなどして、測定部１２による生体情報の測定が所定の時間内に再び開始されたか否かを判定する（ステップＳ３６）。ここで、生体情報の測定が再び行われるまでの所定の時間とは、被検者（ユーザ）の生体情報が大きく変化しないと考えられる例えば数秒〜数十秒などの適切な時間を、各種条件を考慮しつつ予め定めておくとしても良い。ステップＳ３６において生体情報の測定が所定の時間内に再び開始されないと判定された時、制御部１３は、本実施形態に係る動作を終了する。
【００８２】
一方、ステップＳ３６において生体情報の測定が所定の時間内に再び開始されたと判定される時、制御部１３は、それまでに測定部１２が測定した結果を利用しつつ、生体情報の測定を再び開始する（ステップＳ３７）。
【００８３】
このように、本実施形態に係る測定装置１０において、制御部１３は、測定部１２の測定中に所定の処理を開始する時、当該所定の処理を開始するまでに行った測定部１２の測定に応じて、当該測定の結果を出力するか否かを決定するように制御する。
【００８４】
また、制御部１３は、所定の処理を開始するまでに行った測定部１２の測定が例えば８０％以上完了するなど所定の条件を満たす時、当該測定の結果を出力するように制御するとしても良い。また、制御部１３は、所定の処理を開始するまでに行った測定部１２の測定が例えば５０％以上完了するなど所定の条件を満たす時、当該測定の結果とともに、当該測定の信頼性が低い旨などの当該測定に関する情報を出力するように制御してもよい。
【００８５】
また、制御部１３は、所定の処理を開始するまでに行った測定部１２の測定が所定の条件を満たさない時、当該測定の結果を測定部１２の次回の測定に利用するように制御するとしても良い。この場合、制御部１３は、測定部１２の次回の測定が所定時間内に行われたら、当該測定の結果を測定部１２の次回の測定に利用するように制御するとしても良い。
【００８６】
本実施形態に係る測定装置１０は、携帯電話またはスマートフォンなどに搭載された際、生体情報を測定している最中に通話の着信または電子メールの受信などが割り込むように発生したら、それまでの測定に応じて測定結果を処理する。このため、本実施形態によれば、生体情報の測定中に通話の着信または電子メールの受信などが割り込むように発生した際に、当該測定がある程度進行していれば、それまでの測定結果が当該測定の信頼度とともに被検者（ユーザ）に通知される。したがって、被検者（ユーザ）は、測定が正常に完了していない場合であっても、測定結果をその信頼性についての情報とともに知ることができる。
【００８７】
また、本実施形態によれば、生体情報の測定中に通話の着信または電子メールの受信などが割り込むように発生した際に、当該測定がある程度進行していなければ、それまでの測定結果が所定時間内に行われる次回の測定に利用される。したがって、被検者（ユーザ）は、今回の測定の結果が得られない場合であっても、次回の測定にかかる時間を短縮することができる。
【００８８】
なお、本発明は、上記実施形態にのみ限定されるものではなく、幾多の変形または変更が可能である。例えば、各構成部、各ステップ等に含まれる機能等は論理的に矛盾しないように再配置可能であり、複数の構成部またはステップ等を１つに組み合わせたり、或いは分割したりすることが可能である。
【００８９】
また、例えば、上記各実施形態に係る測定装置１０は、様々な電子機器に搭載することができる。図６は、図１の測定装置１０を搭載した携帯電話機の一例を示す図である。図６においては、測定装置１０を搭載した電子機器の例として携帯電話機を示してあるが、測定装置１０を搭載した電子機器は、例えばスマートフォンなどの各種通信機器とすることができる。図６（ａ）に示すように、携帯電話機４０は、その背面側に測定装置１０を備える。また、図６（ａ）に一例として示す携帯電話機４０は、その背面側に背面ディスプレイ４１を備える。背面ディスプレイ４１には、例えば、接触圧力に関する情報がインジケータとして表示される。このように、測定装置１０が電子機器に搭載される場合、通知部１４は、電子機器から接触圧力に関する情報を通知してもよい。すなわち、図６においては、通知部１４を背面ディスプレイ４１として構成した例を示している。
【００９０】
また、図６において、接触部１６を背面ディスプレイ４１として構成してもよい。例えば第２実施形態において、背面ディスプレイ４１は、生体情報の測定中に測定装置１０が振動も音も発生しないようにしている際に、背面ディスプレイ４１における表示によって、通話の着信または電子メールの受信などを通知することができる。また、例えば第３実施形態において、背面ディスプレイ４１は、ステップＳ３２またはステップＳ３４で出力される測定の結果および当該測定の信頼度に関する情報を表示してもよい。
【００９１】
図６（ｂ）は、ユーザが、測定装置１０を備える携帯電話機４０を使用して、生体情報の測定を行う場合の一例を示す図である。ユーザは、指を接触部１６に接触させることにより、測定装置１０に生体情報を測定させる。生体情報の測定を行う場合、通知部１４は、背面ディスプレイ４１に、接触圧力に関する情報などをインジケータとして表示することができる。なお、接触圧力に関する情報の表示は、背面ディスプレイ４１により行うものに限られない。例えば、通知部１４は、携帯電話機４０が備えるスピーカから音を出力させたり、携帯電話機４０が備える発光素子を発光させたり、携帯電話機４０が備える振動部を振動させたりすることにより、接触圧力に関する情報を表示することができる。
【００９２】
ユーザが、測定装置１０を備える携帯電話機４０を使用して、生体情報の測定を行う場合、測定装置１０は、ユーザが携帯電話機４０を使用して生体情報を測定するための専用アプリケーションを起動させることにより、生体情報の測定を開始してもよい。また、測定装置１０は、接触部１６において接触圧力を検知したときに、自動的に生体情報の測定を開始してもよい。この場合、ユーザは、アプリケーションを起動させることなく、指を接触部１６に接触させることにより、生体情報の測定を開始できる。
【００９３】
また、ユーザが、測定装置１０を備える携帯電話機４０を使用して、生体情報の測定を行ったとき、測定装置１０は、様々な方法でユーザに測定結果を通知することができる。例えば、測定装置１０は、測定した血流量の値に基づいて、所定の閾値を基準にして、血液が「さらさら」であるかまたは「どろどろ」であるかを、携帯電話機４０が備えるディスプレイに表示してもよい。また、例えば、測定装置１０は、測定した血流量の値に基づいて、所定の閾値を基準にして、異なる音を再生してもよい。また、測定装置１０は、例えば、測定した血流量の値に基づいて、所定の閾値を基準にして、携帯電話機４０の操作性を変化させてもよい。この場合、ユーザは、携帯電話機４０を操作したときに、その操作性によって測定結果を知ることができる。
【００９４】
また、測定装置１０は、生体情報の測定を行ったとき、例えば測定が終了したことを示す通知のみを行ってもよい。測定装置１０は、例えば、携帯電話機４０の振動部を振動させることにより、このような通知を行うことができる。この場合、ユーザは、測定結果を知りたいときに、携帯電話機４０を操作して、結果を携帯電話機４０に表示させることができる。
【００９５】
また、例えば、携帯電話機４０における測定装置１０の配置は、図６に示すものに限定されない。測定装置１０は、例えば、携帯電話機４０の背面における他の部分に配置されてもよく、また、携帯電話機４０の表面または側面等に配置されてもよい。
【００９６】
また、測定装置１０が搭載される電子機器は、携帯電話機４０に限られない。例えば、携帯型ミュージックプレイヤ、ノートパソコン、腕時計、タブレット端末、ゲーム機などの多岐にわたる任意の電子機器に測定装置１０を搭載できる。
【００９７】
また、上述した各実施形態は、測定装置１０または測定装置１０を備える電子機器の発明としてのみならず、そのような装置または機器において測定を行う方法の発明としても実施することができる。
【符号の説明】
【００９８】
１０  測定装置
１１  圧力検出部
１２  測定部（生体センサ）
１３  制御部
１４  通知部
１５  記憶部
１６  接触部
１７  表示部
１８  振動部
１９  通信部
２１  照射部
２２  受光部
４０  携帯電話機
４１  背面ディスプレイ
【図１】
2018196757.tif 000003
【図２】
2018196757.tif 000004
【図３】
2018196757.tif 000005
【図４】
2018196757.tif 000006
【図５】
2018196757.tif 000007
【図６】
2018196757.tif 000008